(57)【要約】【課題】車載用テレビカメラ、監視用テレビカメラ等に好適な小型及び薄型で光学性能の高い超広角レンズを提供する。【解決手段】物体側から像面側に向けて順に、負の屈折率を有し両凹形状の第１レンズ１、負の屈折率を有し像面側よりも物体側の面の曲率半径が大きい第２レンズ２、正の屈折率を有する第３レンズ３、所定の口径をなす開口絞りＳＤ、正の屈折率を有し両凸形状の第４レンズ４が配列されている。この超広角レンズによれば、４群４枚構成を採用すると共に第１レンズを負レンズとすることにより、対角画角が１３０°以上の適切な広画角を確保でき、レンズ全長を短くでき、ＣＣＤ等搭載したデジタルカメラのレンズ系に必要な赤外光カットフィルターあるいはローパスフィルター等を配置するためのバックフォーカスを確保することができる。【選択図】図１
2006301222.tif 000002
【特許請求の範囲】
【請求項１】
物体側から像面側に向けて順に配列された、
負の屈折率を有し両凹形状の第１レンズと、
負の屈折率を有し像面側よりも物体側の面の曲率半径が大きい第２レンズと、
正の屈折率を有する第３レンズと、
所定の口径をなす開口絞りと、
正の屈折率を有し両凸形状の第４レンズと、
からなることを特徴とする超広角レンズ。
【請求項２】
前記第１レンズ、第２レンズ、及び第４レンズは、物体側及び像面側の両面が非球面でかつ周辺に向かうに連れて屈折力が弱くなるように形成されている、
ことを特徴とする請求項１記載の超広角レンズ。
【請求項３】
前記第１レンズ、第２レンズ、第３レンズ、及び第４レンズの少なくとも一つは、樹脂材料により形成されている、
ことを特徴とする請求項１又は２に記載の超広角レンズ。
【請求項４】
レンズ全系の焦点距離をｆ、前記第４レンズの像面側の面から像面までの間隔をＤ９とするとき、下記条件式（１）を満足することを特徴とする請求項１ないし３いずれか一つに記載の超広角レンズ。
（１）１．２＜Ｄ９／ｆ＜１．４
【請求項５】
レンズ全系の焦点距離をｆ、前記第１レンズ及び第２レンズの合成焦点距離をｆ１２、前記第４レンズの焦点距離をｆ４とするとき、下記条件式（２），（３）を満足することを特徴とする請求項１ないし４いずれか一つに記載の超広角レンズ。
（２）−２．９ｆ＜ｆ１２＜−２．５ｆ
（３）１．４５ｆ＜ｆ４＜１．９５ｆ
【請求項６】
前記第１レンズのアッベ数をν１、前記第３レンズのアッベ数をν３とするとき、下記条件式（４）を満足することを特徴とする請求項１ないし５いずれか一つに記載の超広角レンズ。
（４）｜ν１−ν３｜＞３５
【発明の詳細な説明】
【技術分野】
【０００１】
本発明は、ＣＣＤ等の固体撮像素子を用いたデジタルスチルカメラ等に使用される超小型の広角レンズに関し、特に、車載用テレビカメラ、監視用テレビカメラ等のレンズ系に適用される対角画角が１３０度以上の広角をなす超広角レンズに関する。
【背景技術】
【０００２】
近年、デジタルスチルカメラの普及に伴い電子撮影装置に用いられるレンズに関して、高性能、低コスト、コンパクト化の要求が強くなってきている。例えば、広角、高性能、低コスト、及びコンパクト化を満たすレンズ構成の多くは、バックフォーカスを十分に確保しつつ射出角度の小さくしたレトロフォーカスタイプを採用している。
また、一般に監視用テレビカメラや車載用テレビカメラ等に使用されるレンズは、軽量及びコンパクトで大きい画角をもつことが要望され、特に車載用テレビカメラ等の用途には、広範な視野をカバーするために１３０°以上の大画角をもつ超広角レンズであることが望まれている。
しかしながら、従来のこの種の超広角レンズは、一般に８枚あるいは１０枚以上のレンズ構成からなるものがほとんどである。
【０００３】
一方、レンズの構成枚数が少ないものとしては、物体側から像面側に向かって順に配列された、物体側に凸面を向けたメニスカス形状の第１レンズ、物体側に凸面を向けたメニスカス形状の第２レンズ、両凸形状の第３レンズからなる３枚構成の超広角レンズが知られている（例えば、特許文献１参照）。
しなしながら、この超広角レンズでは、第１レンズの外径が大き過ぎて、小型化、コンパクト化の要求に対応していない。
【０００４】
また、レンズの構成枚数が少ないものとしては、物体側から像面側に向けて順に配列された、物体側に凸面を向けたメニスカス形状の第１レンズ、物体側に凸面を向けたメニスカス形状の第２レンズ、両凸形状の第３レンズ、両凸形状の第４レンズからなる４枚構成の超広角レンズが知られている（例えば、特許文献２参照）。
しかしながら、この超広角レンズでは、全てのレンズにガラスレンズを使用しているため、低コスト化の要求に対応していない。
【０００５】
【特許文献１】特開２００３−１９５１６１号公報
【特許文献２】特開平４−２３８３１２号公報
【発明の開示】
【発明が解決しようとする課題】
【０００６】
本発明は、上記の事情に鑑みて成されたものであり、その目的とするところは、４群４枚という構成で、対角画角が１３０度以上、諸収差特に歪曲収差が良好に補正され、３０万画素程度の撮像素子に対応した高性能かつコンパクトで安価な超広角レンズを提供することにある。
【課題を解決するための手段】
【０００７】
本発明の超広角レンズは、物体側から像面側に向けて順に配列された、負の屈折率を有し両凹形状の第１レンズと、負の屈折率を有し像面側よりも物体側の面の曲率半径が大きい第２レンズと、正の屈折率を有する第３レンズと、所定の口径をなす開口絞りと、正の屈折率を有し両凸形状の第４レンズと、からなることを特徴としている。
この構成によれば、４群４枚構成を採用すると共に第１レンズを負の屈折力をもつ負レンズとすることにより、対角画角が１３０°以上の適切な広画角を確保でき、レンズ全長を短くすることができる。また、レトロフォーカスタイプにすることにより、ＣＣＤ等の撮像素子を搭載したデジタルカメラのレンズ系に必要な赤外光カットフィルターあるいはローパスフィルター等を配置するためのバックフォーカスを確保することができる。
【０００８】
上記構成において、第１レンズ、第２レンズ、及び第４レンズは、物体側及び像面側の両面が非球面でかつ周辺に向かうに連れて屈折力が弱くなるように形成されている、構成を採用することができる。
この構成によれば、第１レンズ及び第２レンズの両面を非球面とすることにより、特に歪曲収差を良好に補正することができ、広画角化を達成することができる。
また、像面に最も近いレンズ（第４レンズ）の両面を非球面とすることにより、主として上光線側のコマ収差を良好に補正しつつ諸収差を良好に補正することができる。
仮に、像面に最も近いレンズ（第４レンズ）の両面を球面にして同等の効果を得るためには、さらに２枚程度のレンズが必要になって薄型化を達成することができないが、像面に最も近いレンズ（第４レンズ）の両面を非球面とすることにより、薄型化を達成しつつ、球面収差、非点収差、コマ収差等の諸収差を良好に補正することができ、高い光学性能を得ることができる。
【０００９】
上記構成において、第１レンズ、第２レンズ、第３レンズ、及び第４レンズの少なくとも一つは、樹脂材料により形成されている、構成を採用することができる。
この構成によれば、少なくとも一つのレンズを樹脂材料により形成したプラスチックレンズとすることにより、ガラスレンズを採用する場合に比べて、生産コストの低減、軽量化を達成することができ、又、非球面を容易に形成することができるため、収差補正の自由度が増加した分だけコンパクト化が可能になる。
【００１０】
上記構成において、レンズ全系の焦点距離をｆ、第４レンズの像面側の面から像面までの間隔をＤ９とするとき、次の条件式（１）
（１）１．２＜Ｄ９／ｆ＜１．４
を満足する、構成を採用することができる。
この構成によれば、条件式（１）を満たすことにより、赤外光カットフィルターあるいはローパスフィルター等を配置するために必要なスペース（バックフォーカス）を確保しつつ、十分な撮影画角を得ることができ、諸収差、特に歪曲収差を良好に補正することができる。
【００１１】
上記構成において、レンズ全系の焦点距離をｆ、第１レンズ及び第２レンズの合成焦点距離をｆ１２、第４レンズの焦点距離をｆ４とするとき、次の条件式（２），（３）
（２）−２．９ｆ＜ｆ１２＜−２．５ｆ
（３）１．４５ｆ＜ｆ４＜１．９５ｆ
を満足する、構成を採用することができる。
この構成によれば、条件式（２），（３）を満たすことにより、十分な撮影画角を確保しつつ適切なバックフォーカスを得ることができ、又、第１レンズ（前玉）の外径を小さくできるため、小型化、コンパクト化を達成することができる。
【００１２】
上記構成において、第１レンズのアッベ数をν１、第３レンズのアッベ数をν３とするとき、次の条件式（４）
（４）｜ν１−ν３｜＞３５
を満足する、構成を採用することができる。
この構成によれば、条件式（４）を満たすことにより、解像度に影響を及ぼす色収差、特に軸上色収差と倍率色収差を良好に補正することができる。
【発明の効果】
【００１３】
上記構成をなす超広角レンズによれば、４群４枚という構成で、対角画角が１３０度以上、諸収差特に歪曲収差が良好に補正され、３０万画素程度の撮像素子に対応した高性能かつコンパクトで安価な超広角レンズを得ることができる。
【発明を実施するための最良の形態】
【００１４】
以下、本発明の最良の実施形態について、添付図面を参照しつつ説明する。
図１及び図２は、本発明に係る超広角レンズの一実施形態を示すものであり、図１は概略構成図、図２は光路図である。
この超広角レンズは、図１に示すように、物体側から像面側に向けて順に配列された、負の屈折率を有し両凹形状の第１レンズ１、負の屈折率を有し像面側よりも物体側の面の曲率半径が大きい第２レンズ２、正の屈折率を有する第３レンズ３、所定の口径をなす開口絞りＳＤ、正の屈折率を有し両凸形状の第４レンズ４により形成されている。そして、第４レンズ４の後方に像面Ｐが配置されている。
【００１５】
ここでは、第１レンズ１、第２レンズ２、第３レンズ３、開口絞りＳＤ、第４レンズ４、及び像面Ｐが、光軸Ｌに沿って物体側から像面側に向けて順に配列される構成において、図１に示すように、それぞれの面をＳｉ（ｉ＝１〜９）、それぞれの面Ｓｉの曲率半径をＲｉ（ｉ＝１〜９）、ｄ線に対する屈折率をＮｉ（ｉ＝１〜４）及びアッベ数をνｉ（ｉ＝１〜４）、第１レンズ１〜像面Ｐまでのそれぞれの光軸Ｌ上における間隔（厚さ、空気間隔）をＤｉ（ｉ＝１〜９）で表す。
また、レンズ全系の焦点距離をｆ、第１レンズ１と第２レンズ２との合成焦点距離をｆ１２、第４レンズ４の焦点距離をｆ４、第４レンズ４の像面側の面から像面Ｐまでの間隔（バックフォーカス）をＤ９で表す。
【００１６】
第１レンズ１は、好ましくは樹脂材料により形成され、負の屈折力をもつように、物体側の面Ｓ１が凹状でかつ像面側の面Ｓ２が凹状をなす両凹形状のレンズである。
第２レンズ２は、好ましくは樹脂材料により形成され、負の屈折力をもつように、物体側の面Ｓ３が凸状でかつ像面側の面Ｓ４が凹状をなすメニスカス形状のレンズであり、又、像面側の面Ｓ４の曲率半径Ｒ４よりも物体側の面Ｓ３の曲率半径Ｒ３が大きく形成されている。
第３レンズ３は、好ましくは樹脂材料により形成され、正の屈折率をもつように、物体側の面Ｓ５が凸状でかつ像面側の面Ｓ６が凹状をなすメニスカス形状のレンズである。
第４レンズ４は、好ましくは樹脂材料により形成され、正の屈折力をもつように、物体側の面Ｓ８が凸状でかつ像面側の面Ｓ９が凸状をなす両凸形状のレンズである。
【００１７】
このように、第１レンズ１〜第４レンズ４からなる４群４枚構成を採用すると共に第１レンズ１を負の屈折力をもつ負レンズとしたことにより、対角画角が１３０°以上の適切な広画角を得ることができ、レンズ全長を短くすることができる。
また、レトロフォーカスタイプにすることにより、ＣＣＤ等の撮像素子を搭載したデジタルカメラのレンズ系に必要な赤外光カットフィルターあるいはローパスフィルター等を配置するためのスペース（バックフォーカス）を確保することができる。
また、第１レンズ１〜第４レンズ４の少なくとも一つのレンズが樹脂材料により形成されることにより、ガラスレンズを採用する場合に比べて、生産コストの低減、軽量化を達成することができ、又、非球面を容易に形成することができるため、収差補正の自由度が増加した分だけコンパクト化が可能になる。
【００１８】
ここで、第４レンズ４は、好ましくは、物体側及び像面側の両面Ｓ８，Ｓ９が非球面でかつ周辺に向かうに連れて屈折力が弱くなるように形成される。これにより、主として上光線側のコマ収差を良好に補正しつつ諸収差を良好に補正することができる。
仮に、像面に最も近いレンズ（第４レンズ４）の両面Ｓ８，Ｓ９を球面にすると、同等の効果を得るためにはさらに２枚程度のレンズが必要になって薄型化を達成することが困難になる。そこで、像面Ｐに最も近いレンズ（第４レンズ４）の両面Ｓ８，Ｓ９を非球面とすることにより、薄型化を達成しつつ、球面収差、非点収差、コマ収差等の諸収差を良好に補正することができ、高い光学性能を得ることができる。
【００１９】
また、第１レンズ１及び第２レンズ２は、好ましくは、物体側及び像面側の両面Ｓ１，Ｓ２，Ｓ３，Ｓ４が非球面でかつ周辺に向かうに連れて屈折力が弱くなるように形成される。これにより、特に歪曲収差を良好に補正することができ、広画角化を達成することができる。
【００２０】
ここで、第１レンズ１〜第４レンズ４の非球面を表す式は、次式で規定される。
Ｚ＝Ｃｙ２／［１＋（１−εＣ２ｙ２）１／２］＋Ｄｙ４＋Ｅｙ６＋Ｆｙ８＋Ｇｙ１０
ただし、Ｚ：非球面の頂点における接平面から，光軸Ｌからの高さがｙの非球面上の点までの距離、ｙ：光軸からの高さ、Ｃ：非球面の頂点における曲率（１／Ｒ）、ε：円錐定数、Ｄ，Ｅ，Ｆ，Ｇ：非球面係数である。
【００２１】
上記構成においては、レンズ全系の焦点距離ｆ、第４レンズ４の像面側の面Ｓ９から像面Ｐまでの間隔Ｄ９が、好ましくは、次の条件式（１）
（１）１．２＜Ｄ９／ｆ＜１．４
を満足するように形成される。
条件式（１）は、ＣＣＤカメラ用レンズに必要なバックフォーカス（間隔Ｄ９）を規定するものである。Ｄ９／ｆの値が上限値以上になってバックフォーカスが長くなると、発生する負の歪曲収差が大きくなる。一方、Ｄ９／ｆの値が下限値以下になってバックフォーカスが短くなると、全体に得られる撮影画角を十分に大きくすることが困難になり、赤外光カットフィルターあるいはローパスフィルター等を配置するスペースを確保するのが困難になる。
したがって、条件式（１）を満たすことにより、赤外光カットフィルターあるいはローパスフィルター等を配置するために必要なスペース（バックフォーカス）を確保しつつ、十分な撮影画角を得ることができ、諸収差、特に歪曲収差を良好に補正できる。
【００２２】
また、上記構成においては、レンズ全系の焦点距離ｆ、第１レンズ１及び第２レンズ２の合成焦点距離ｆ１２、第４レンズ４の焦点距離をｆ４が、好ましくは、次の条件式（２），（３）
（２）−２．９ｆ＜ｆ１２＜−２．５ｆ
（３）１．４５ｆ＜ｆ４＜１．９５ｆ
を満足するように形成される。
条件式（２），（３）を満たすことにより、十分な撮影画角を確保しつつ適切なバックフォーカスを得ることができる。また、第１レンズ１（前玉）の外径を小さくできるため、小型化、コンパクト化を達成することができる。尚、仮に３群３枚構成において、第１レンズのみで条件式（２）と同等の焦点距離を得ようとすると、第１レンズの像面側の曲率半径が非常に小さくなり、レンズの加工が困難になる。
【００２３】
さらに、上記構成においては、第１レンズ１のアッベ数ν１、第３レンズ３のアッベ数ν３が、好ましくは、次の条件式（４）
（４）｜ν１−ν３｜＞３５
を満足するように形成される。
条件式（４）を満たすことにより、解像度に影響を及ぼす色収差、特に軸上色収差と倍率色収差を良好に補正することができる。
【００２４】
次に、上記超広角レンズの具体的な数値による実施例を、実施例１、実施例２として以下に示す。
【実施例１】
【００２５】
実施例１における条件式（１）〜（４）の数値データ、第１レンズ１〜第４レンズ４の主な仕様諸元、種々の数値データ（設定値）は以下の通りである。
＜条件式の値＞
（１）Ｄ９／ｆ＝１．３３／１．０４＝１．２８
（２）ｆ＝１．０４、ｆ１２＝−２．７５、−３．０２＜−２．７５＜−２．６０
（３）ｆ＝１．０４、ｆ４＝１．６４、１．５１＜１．６４＜２．０３
（４）ν１＝５６．３、ν３＝１８．９、│ν１−ν３│＝│５６．３−１８．９│＝３７．４＞３５
【００２６】
＜仕様諸元＞
物体距離＝無限大、レンズ全系の焦点距離（ｆ）＝１．０４ｍｍ、第１レンズ及び第２レンズの合成焦点距離（ｆ１２）＝−２．７５ｍｍ、第４レンズの焦点距離（ｆ４）＝１．６４ｍｍ、Ｆナンバー＝２．８、射出瞳位置＝２．３８ｍｍ、レンズ全長＝１３．０ｍｍ、バックフォーカス（空気換算）＝１．３３ｍｍ、画角（２ω）＝１４０．７°、ディストーション（最大値）＝−２３．８％
＜非球面＞
第１レンズ１の両面Ｓ１，Ｓ２、第２レンズ２の両面Ｓ３，Ｓ４、第４レンズ４の両面Ｓ８，Ｓ９
＜曲率半径＞
Ｒ１＝−４３．３０４ｍｍ（非球面）、Ｒ２＝３．１３４ｍｍ（非球面）、Ｒ３＝８．７６２ｍｍ（非球面）、Ｒ４＝２．７４５ｍｍ（非球面）、Ｒ５＝３．５４２ｍｍ、Ｒ６＝１６．０８３ｍｍ、Ｒ７＝∞、Ｒ８＝４．５６７ｍｍ（非球面）、Ｒ９＝−０．８３８ｍｍ（非球面）
＜光軸上の間隔＞
Ｄ１＝１．８３０ｍｍ、Ｄ２＝１．４５１ｍｍ、Ｄ３＝１．０６５ｍｍ、Ｄ４＝０．４７８ｍｍ、Ｄ５＝２．３３ｍｍ、Ｄ６＝０．４９８ｍｍ、Ｄ７＝０．８９６ｍｍ、Ｄ８＝２．７４３ｍｍ、Ｄ９＝１．３３３ｍｍ
＜屈折率（Ｎｄ）＞
Ｎ１＝１．５２５１２０、Ｎ２＝１．５２５１２０、Ｎ３＝１．９２２８６０、Ｎ４＝１．５２５１２０
＜アッベ数（νｄ）＞
ν１＝５６．３、ν２＝５６．３、ν３＝１８．９、ν４＝５６．３
【００２７】
＜非球面係数の数値データ＞
＜Ｓ１面＞
ε＝−４．９１９０４１、Ｄ＝２．５２１９６３×１０−５、Ｅ＝８．２８７９６０×１０−７、Ｆ＝１．２７１９８１×１０−８、Ｇ＝−７．６７４７２×１０−１０
＜Ｓ２面＞
ε＝０．０６９０２６、Ｄ＝０．０１６９２６、Ｅ＝−１．７８５１２×１０−３、Ｆ＝−２．８１６００×１０−５、Ｇ＝−１．００３２０×１０−５
＜Ｓ３面＞
ε＝８．５７５５８７、Ｄ＝１．６１６５４×１０−４、Ｅ＝３．６６５２７８×１０−５、Ｆ＝−２．３９２５４×１０−５、Ｇ＝−８．０１９３６×１０−４
＜Ｓ４面＞
ε＝−１．３２７２１０、Ｄ＝−０．０３６４０９、Ｅ＝０．０１３８３０、Ｆ＝−２．３８２００×１０−３、Ｇ＝２．１３０４４５×１０−４
＜Ｓ８面＞
ε＝０．２５０４５６、Ｄ＝−０．０３９６２１、Ｅ＝０．０１８２９１、Ｆ＝−４．７９３１２×１０−３、Ｇ＝５．６４５２５６×１０−４
＜Ｓ９面＞
ε＝−１．１９８４８７、Ｄ＝０．０６５４９８、Ｅ＝−０．０２４２９８、Ｆ＝４．３０７２０×１０−３、Ｇ＝−１．８３９９１×１０−４
【００２８】
この実施例１における球面収差、非点収差、歪曲収差（ディストーション）、倍率色収差に関する収差線図は図３に示すような結果となる。尚、図３において、Ｓはサジタル平面での収差、Ｍはメリジオナル平面での収差を示す。
この実施例１によるレンズ仕様によれば、レンズ全長が１３．０ｍｍ、Ｆナンバーが２．８、画角（２ω）が１４０．７°で、特に歪曲収差が良好に補正されて光学性能が高く、薄型で小型の超広角レンズが得られる。
【実施例２】
【００２９】
実施例２における条件式（１）〜（４）の数値データ、第１レンズ１〜第４レンズ４の主な仕様諸元、種々の数値データ（設定値）は以下の通りである。
＜条件式の値＞
（１）Ｄ９／ｆ＝１．３３／１．０７＝１．２４
（２）ｆ＝１．０７、ｆ１２＝−２．７８、−３．０７＜−２．７８＜−２．６５
（３）ｆ＝１．０７、ｆ４＝１．６４、１．５４＜１．６４＜２．０７
（４）ν１＝６４．１、ν３＝１８．９、│ν１−ν３│＝│６４．１−１８．９│＝４５．２＞３５
【００３０】
＜仕様諸元＞
物体距離＝無限大、レンズ全系の焦点距離（ｆ）＝１．０７ｍｍ、第１レンズ及び第２レンズの合成焦点距離（ｆ１２）＝−２．７８ｍｍ、第４レンズの焦点距離（ｆ４）＝１．６４ｍｍ、Ｆナンバー＝２．８、射出瞳位置＝２．５４ｍｍ、レンズ全長＝１２．７ｍｍ、バックフォーカス（空気換算）＝１．３３ｍｍ、画角（２ω）＝１４２．１°、ディストーション（最大値）＝−２８．７％
＜非球面＞
第１レンズ１の両面Ｓ１，Ｓ２、第２レンズ２の両面Ｓ３，Ｓ４、第４レンズ４の両面Ｓ８，Ｓ９
＜曲率半径＞
Ｒ１＝−４２．８９１ｍｍ（非球面）、Ｒ２＝３．１３４ｍｍ（非球面）、Ｒ３＝８．７５３ｍｍ（非球面）、Ｒ４＝２．７５２ｍｍ（非球面）、Ｒ５＝３．５１７ｍｍ、Ｒ６＝１６．０５１ｍｍ、Ｒ７＝∞、Ｒ８＝４．４１３ｍｍ（非球面）、Ｒ９＝−０．８４２ｍｍ（非球面）
＜光軸上の間隔＞
Ｄ１＝１．７０５ｍｍ、Ｄ２＝１．４４５ｍｍ、Ｄ３＝１．０２９ｍｍ、Ｄ４＝０．４５１ｍｍ、Ｄ５＝２．３２２ｍｍ、Ｄ６＝０．４５６ｍｍ、Ｄ７＝０．８５９ｍｍ、Ｄ８＝２．７１３ｍｍ、Ｄ９＝１．３３３ｍｍ
＜屈折率（Ｎｄ）＞
Ｎ１＝１．５１６３３０、Ｎ２＝１．５２５１２０、Ｎ３＝１．９２２８６０、Ｎ４＝１．５２５１２０
＜アッベ数（νｄ）＞
ν１＝６４．１、ν２＝５６．３、ν３＝１８．９、ν４＝５６．３
【００３１】
＜非球面係数の数値データ＞
＜Ｓ１面＞
ε＝−３．０８８３８０、Ｄ＝２．４２５０１×１０−５、Ｅ＝８．７０６８×１０−７、Ｆ＝１．４３９６４９×１０−８、Ｇ＝−７．２００９２×１０−１０
＜Ｓ２面＞
ε＝０．０６８９４８、Ｄ＝０．０１６９６６、Ｅ＝−１．７８１３３×１０−３、Ｆ＝３．４４８５９６×１０−５、Ｇ＝−２．３８０１６×１０−５
＜Ｓ３面＞
ε＝８．５９７５６９、Ｄ＝１．１２４９６６×１０−４、Ｅ＝３．４４８５９６×１０−５、Ｆ＝−２．３８０１９×１０−５、Ｇ＝−７．９８１８×１０−６
＜Ｓ４面＞
ε＝−１．２７３５４７、Ｄ＝−０．０３６１５１、Ｅ＝０．０１３８４７、Ｆ＝−２．３８６０３×１０−３、Ｇ＝２．１１４５６８×１０−４
＜Ｓ８面＞
ε＝０．２４６８２１、Ｄ＝−０．０３９６５３、Ｅ＝０．０１８３５１、Ｆ＝−４．７８３７３×１０−３、Ｇ＝５．６２５８９１×１０−４
＜Ｓ９面＞
ε＝−１．２０１２７６、Ｄ＝０．０６５７３３、Ｅ＝−０．０２４２７１、Ｆ＝４．３０７２２８×１０−３、Ｇ＝−１．８７１３８×１０−４
【００３２】
この実施例２における球面収差、非点収差、歪曲収差（ディストーション）、倍率色収差に関する収差線図は図４に示すような結果となる。尚、図４において、Ｓはサジタル平面での収差、Ｍはメリジオナル平面での収差を示す。
この実施例２によるレンズ仕様によれば、レンズ全長が１２．７ｍｍ、Ｆナンバーが２．８、画角（２ω）が１４２．１°で、特に歪曲収差が良好に補正されて光学性能が高く、薄型で小型の超広角レンズが得られる。
【産業上の利用可能性】
【００３３】
以上述べたように、本発明の超広角レンズは、超小型及び薄型で３０万画素程度の撮像素子に対応し得る高い光学性能を確保できるため、車載用テレビカメラ、監視用テレビカメラ等の超広角レンズとして適用できるのは勿論のこと、その他の用途に用いられるカメラの超広角レンズとしても有用である。
【図面の簡単な説明】
【００３４】
【図１】本発明に係る超広角レンズの一実施形態を示す概略構成図である。
【図２】図１に示す超広角レンズの光路図である。
【図３】実施例１における、球面収差、非点収差、歪曲収差、倍率色収差を示す収差図である。
【図４】実施例２における、球面収差、非点収差、歪曲収差、倍率色収差を示す収差図である。
【符号の説明】
【００３５】
Ｌ  光軸
ｆ  レンズ全系の焦点距離
ｆ１２  第１レンズ及び第２レンズの合成焦点距離
ｆ４  第４レンズの焦点距離
１  第１レンズ
２  第２レンズ
３  第３レンズ
４  第４レンズ
ＳＤ  開口絞り
Ｐ  像面
ν１  第１レンズのアッベ数
ν３  第３レンズのアッベ数
Ｄ９  第４レンズの像面側の面から像面までの光軸上の間隔
【図１】
2006301222.tif 000003
【図２】
2006301222.tif 000004
【図３】
2006301222.tif 000005
【図４】
2006301222.tif 000006